(57)【要約】【課題】設置方向に依存しない耐湿フィルムを提供する。【解決手段】耐湿フィルムは、建築構造物を覆う。前記フィルムは、平面を形成する撓曲可能な膜と、前記平面の外方に伸びる前記膜に形成された第１の複数の離間別体エンボス部とを含む。前記エンボス部はｘ方向には行がかつｙ方向には列が形成される。前記行は平行であると共に相互に離間されかつ前記列は平行であると共に相互に離間される。前記フィルムを作成する方法およびツールも開示される。【選択図】図１
2007518595.tif 000002
【特許請求の範囲】
【請求項１】
平面を形成する撓曲可能な膜と、
前記平面の外方に伸びる前記膜に形成された第１の複数の離間別体エンボス部であって、該エンボス部はｘ方向には行がかつｙ方向には列が形成され、前記行は相互に離間されかつ前記列は相互に離間される第１の複数の離間別体エンボス部と、を備える、建築構造物を覆う耐湿フィルム。
【請求項２】
前記行および列は非直線状である、請求項１に記載の耐湿フィルム。
【請求項３】
前記行は平行湾曲パターンで形成されかつ前記列は平行湾曲パターンで形成される、請求項２に記載の耐湿フィルム。
【請求項４】
前記湾曲パターンは正弦波パターンである、請求項３に記載の耐湿フィルム。
【請求項５】
前記エンボス部は平行四辺形形状を有して形成される、請求項１に記載の耐湿フィルム。
【請求項６】
前記第１の複数の離間別体エンボス部は第１方向において前記平面に対して横方向に形成されると共に、該エンボス部は、前記第１方向とは逆の第２方向において前記平面の外方に伸びる前記膜に形成された第２の複数の離間別体エンボス部を含み、
前記エンボス部はｘ方向においては少なくとも２行でかつｙ方向においては少なくとも２列で形成され、前記行は相互に離間されると共に前記列は相互に離間され、前記行および列は非直線状であり、
前記第１の複数のエンボス部の前記行および列は、前記第２の複数のエンボス部の行および列により相互に離間される、請求項１に記載の耐湿フィルム。
【請求項７】
前記第１の複数の離間別体エンボス部の各々の間のエンボス加工されない中立スペースを含む、請求項１に記載の耐湿フィルム。
【請求項８】
前記第１の複数の離間別体エンボス部の各々の間のエンボス加工されない中立スペースと前記第２の複数の離間別体エンボス部の各々の間のエンボス加工されない中立スペースとを含む、請求項６に記載の耐湿フィルム。
【請求項９】
前記撓曲可能な膜は、第１配向プラスチック層と第２配向プラスチック層とを有する多層積層体であり、
前記各プラスチック層の配向は、０°を含まない０°〜１８０°の角度で相互に交差する、請求項１に記載の耐湿フィルム。
【請求項１０】
前記第１プラスチック層の配向は前記第２プラスチック層の配向に対して４０°〜１４０°で選択された角度である、請求項９に記載の耐湿フィルム。
【請求項１１】
前記第１および第２層は約９０°の角度で相互に交差する、請求項１０に記載の耐湿フィルム。
【請求項１２】
前記第１および第２プラスチック層はポリオレフィンである、請求項９に記載の耐湿フィルム。
【請求項１３】
前記ポリオレフィンはポリエチレンである、請求項１２に記載の耐湿フィルム。
【請求項１４】
前記各プラスチック層間に配設された接合媒体を更に備える、請求項９に記載の耐湿フィルム。
【請求項１５】
交互配置の第１方向エンボス部および中立スペースから成る交互配置の第１行、および、第２方向エンボス部および中立スペースから成る中間の交互配置の第２行が形成された撓曲可能な耐湿膜を備え、
前記第１方向エンボス部および中立スペースから成る交互配置の第１行は、第１方向エンボス部および中立スペースから成る交互配置の第１列を形成すべく配設されると共に、前記第２方向エンボス部および中立スペースから成る中間の交互配置の第２行は、第２方向エンボス部および中立スペースから成る交互配置の第２列を形成すべく配設され、
前記第１方向エンボス部および中立スペースから成る第１行ならびに前記第２方向エンボス部および中立スペースから成る第２行は、相互に平行であると共に、前記第１方向エンボス部および中立スペースから成る第１列ならびに前記第２方向エンボス部および中立スペースから成る第２列は相互に平行である、耐湿フィルム。
【請求項１６】
前記第１方向エンボス部および中立スペースから成る第１行ならびに前記第２方向エンボス部および中立スペースから成る第２行は非直線状であり、
前記第１方向エンボス部および中立スペースから成る第１列ならびに前記第２方向エンボス部および中立スペースから成る第２列は非直線状である、請求項１５に記載の耐湿フィルム。
【請求項１７】
前記第１方向エンボス部および中立スペースから成る非直線状の第１行、ならびに第２方向エンボス部および中立スペースから成る非直線状の第２行は、相互に平行であると共に第１パターンであり、
前記第１方向エンボス部および中立スペースから成る非直線状の第１列、ならびに第２方向エンボス部および中立スペースから成る非直線状の第２列は、相互に平行であると共に第２パターンである、請求項１６に記載の耐湿フィルム。
【請求項１８】
前記第１および第２パターンは正弦波状である、請求項１７に記載の耐湿フィルム。
【請求項１９】
前記エンボス部は平行四辺形の輪郭を有する、請求項１５に記載の耐湿フィルム。
【請求項２０】
前記膜は、第１配向プラスチック層と第２配向プラスチック層とを有する多層積層体であり、
前記各プラスチック層の配向は、０°を含まない０°〜１８０°の角度で相互に交差する、請求項１５に記載の耐湿フィルム。
【請求項２１】
配向が０°を含まない０°〜１８０°の角度で相互に交差する第１配向プラスチック層および第２配向プラスチック層を相互に積層して、平面を形成する撓曲可能な膜を形成するステップと、
前記平面の外方に伸びるべく前記撓曲可能な膜に第１の複数の離間別体エンボス部を形成するステップであって、該エンボス部はｘ方向には行がかつｙ方向には列が形成され、前記行は相互に離間されかつ前記列は相互に離間されるステップとを備える、
撓曲可能な耐湿フィルムを形成する方法。
【請求項２２】
前記行および列は非直線状である、請求項２１に記載の方法。
【請求項２３】
前記形成ステップにおいて、前記第１の複数の離間別体エンボス部は第１方向において前記平面に対して横方向に形成されると共に、前記第１方向とは逆の第２方向において前記平面の外方に伸びるべく前記膜には第２の複数の離間別体エンボス部が形成され、
前記エンボス部はｘ方向には行がかつｙ方向には列が形成され、
前記第１の複数のエンボス部の行および列は前記第２の複数のエンボス部の行および列により相互に離間される、請求項２１に記載の方法。
【請求項２４】
前記行および列は非直線状である、請求項２１に記載の方法。
【請求項２５】
家屋包装用フィルムの平面の外方に伸びるべく該フィルムに第１の複数の離間別体エンボス部を形成するステップであって、前記エンボス部はｘ方向においては少なくとも２行でかつｙ方向においては少なくとも２列で形成され、前記行は相互に離間されると共に前記列は相互に離間されるステップを備える、
家屋包装用フィルムにおける水分または復水の排水性を改善する方法。
【請求項２６】
前記形成ステップにおいて、前記第１の複数の離間別体エンボス部は第１方向において前記フィルムの前記平面に対して横方向に形成されると共に、前記第１方向とは逆の第２方向において前記フィルムの前記平面の外方に伸びる第２の複数の離間別体エンボス部が前記フィルムに形成され、
前記エンボス部はｘ方向には行がかつｙ方向には列が形成され、
前記第１の複数のエンボス部の行および列は前記第２の複数のエンボス部の行および列により相互に離間される、請求項２５に記載の方法。
【請求項２７】
前記行および列は非直線状である、請求項２５に記載の方法。
【請求項２８】
交互配置の第１方向エンボス突出部および中立スペースから成る交互配置の第１行と第２方向エンボス凹部および中立スペースから成る中間の交互配置の第２行とを形成すべく当該ローラから伸びる複数のエンボス加工用突出部を有するローラを備え、
前記第１方向エンボス突出部および中立スペースから成る交互配置の第１行は第１方向エンボス突出部および中立スペースから成る交互配置の第１列を形成すべく配設され、かつ、前記第２方向エンボス凹部および中立スペースから成る中間の交互配置の第２行は第２方向エンボス凹部および中立スペースから成る交互配置の第２列を形成すべく配設され、
前記第１方向エンボス突出部および中立スペースから成る第１行ならびに第２方向エンボス凹部および中立スペースから成る第２行は相互に平行であると共に、前記第１方向エンボス突出部および中立スペースから成る第１列ならびに前記第２方向エンボス凹部および中立スペースから成る第２列は相互に平行である、
ウェブに複数のエンボス部を形成するツール。
【請求項２９】
前記エンボス突出部および中立スペースの行および前記エンボス突出部および中立スペースの列は非直線状であり、かつ、相互に平行である、請求項２８に記載のツール。
【請求項３０】
反転した輪郭を有する第２ローラを含む、請求項２８に記載のツール。
【発明の詳細な説明】
【技術分野】
【０００１】
本発明は、エンボス（浮き出し模様）加工された交差積層フィルムもしくはシートの構成に関する。より詳細には本発明は、交差配向された２枚のフィルムから成る積層体であって建築物用防湿壁として使用される立体的な機能表面材料を形成すべくエンボス加工されたシートに関する。
【背景技術】
【０００２】
家屋などの建築物の構築においては、家屋の骨組みと、たとえば羽目板もしくは下見板などの外側カバーとの間に湿気および空気に対する障壁が用いられる。これらの障壁は、骨組みもしくは内壁と家屋外側カバーとの間における建築物の領域内へと湿気が浸入するのを防止すべく用いられる。
【０００３】
家屋の外側カバーと骨組みもしくは壁部との間における湿気の進入は問題である。たとえば、建築物の一定の領域における水分の存在に対しては、“かび”や菌類が関係する。故に、（大量の水および湿気もしくは復水として）水分が進入もしくは浸入するのを防止するだけでなく、かかる水分を内側壁部から案内することにより、排水を増進すると共に貯溜を防止して“かび”および菌類の成長に対する可能性を低減する障壁を創案すべく相当の努力が為されてきた。
【０００４】
“家屋包装体”とも称される障壁材料は、骨組みの被覆表面と外側カバーもしくは外装材との間に設置されることで、湿気浸入に対する二次的保護層を提供する。この耐候障壁機能は更に増進されて湿気の排出および空気の流れを促進することで、基材および骨組み材料の湿潤が生じ易い壁部アセンブリへと水分が更に浸入する可能性が低減される。これらの領域において湿気レベルが高まると“かび”の成長および／または木材の腐食が助長され、最終的には構造損壊の可能性が高まる。
【０００５】
最近、湿気の排出を促進する滴下用溝または排水用溝を含む家屋包装体用の障壁材料が開発されてきた。但し、これらの溝は方向に依存する。すなわち前記材料が適切に機能すべく（すなわち適切に排水を行うべく）該材料の幾何学的構造、および、該材料に形成される溝の幾何学的構造および“形状”の故に、該材料は構造物または建築物上で一定の方向に設置されねばならない。前記材料が不適切に設置された場合、液体が貯溜し続けることがあると共に湿気もしくは液体の浸入が生じることがある。
【０００６】
更に、公知の家屋包装体用材料は織成材料から形成される。これらの材料は大きな引き裂き抵抗を付与し易く、建設業界においては非常に好適である。しかし、かかる材料は製造に費用が掛かることがあると共に、典型的には、不織材料よりも（水蒸気と対照的に液状水分が）更に浸透し易い。
【特許文献１】米国特許第６，２８４，３４４号
【発明の開示】
【発明が解決しようとする課題】
【０００７】
故に、高レベルの耐湿性を有する家屋包装体用材料に対する要望が在る。好適にはかかる材料は、該材料が設置される構造物の内部区域から水分を案内させることができる構造を有する。更に望ましくはかかる材料は、該材料が構造物上に設置される配向に依存せずに機能するものである。最も望ましくはかかる材料は、高い引き裂き抵抗と高い全体的強度とを有することで、多様な建設状況および多様な現場で使用することができる。
【課題を解決するための手段】
【０００８】
耐湿性の家屋包装用フィルムは建築構造物を覆うべく構成される。前記家屋包装体は、平面を形成する撓曲可能な膜から形成され、前記平面の外方に伸びる前記膜に形成された第１の複数の離間別体エンボス部を有する。前記エンボス部は（概略的な）ｘ方向には行がかつ（概略的な）ｙ方向には列が形成される。好適には、複数の行および複数の列が形成される。前記行は相互に離間されかつ前記列は相互に離間される。最も好適な家屋包装体において、前記行および列は非直線状である。
【０００９】
かかる家屋包装用材料は、該材料が設置される構造物の内部区域から水分を案内させることができる構造と組み合わされた高レベルの耐湿性を有する。かかる材料は、該材料が構造物上に設置される方向に依存せずに機能すると共に、高い引き裂き抵抗と高い全体的強度とを有することで、多様な建設状況および多様な現場での使用が許容される。
【００１０】
好適な家屋包装体において、前記行は平行湾曲パターンで形成されかつ前記列は平行湾曲パターンで形成される。最も好適には、（ｘおよびｙ方向の両方において）前記湾曲は正弦波パターンである。本発明の家屋包装体は、第１方向において前記平面に対して横方向に形成された第１の複数の離間別体エンボス部と、前記第１方向とは逆の第２方向において前記平面の外方に伸びる前記膜に形成された第２の複数の離間別体エンボス部とを有する。前記エンボス部はｘ方向には行がかつｙ方向には列が形成される。前記行および列は非直線状である。かかるパターンにおいて前記第１の複数のエンボス部の前記行および列は、前記第２の複数のエンボス部の行および列により相互に離間される。前記第１の複数の離間別体エンボス部の各々の間、および、前記第２の複数の離間別体エンボス部の各々の間には、エンボス加工されない中立スペースが配設される。本発明のエンボス部は、平行四辺形を底面とする切頭四角錐形状を有する。
【００１１】
好適なフィルムは、第１配向プラスチック層および第２配向プラスチック層を有する多層積層体として形成された撓曲可能な膜である。前記配向プラスチック層は、０°を含まない０°〜１８０°の角度で相互に交差する。好適には前記層は他のプラスチック層の配向に対して４０°〜１４０°の角度であり、最も好適には、前記層は相互に約９０°の配向角度である。
【００１２】
かかる膜は、ポリオレフィン、好適にはポリエチレンである第１および第２プラスチック層を有する。前記各プラスチック層間には接合媒体が配設されることができる。
【００１３】
撓曲可能な耐湿フィルムを形成する方法は、当該第１配向プラスチック層および第２配向プラスチック層の配向が０°を含まない０°〜１８０°の角度で相互に交差する第１配向プラスチック層および第２配向プラスチック層を積層して、平面を形成する撓曲可能な膜を形成するステップを含む。前記方法は、前記平面の外方に伸びるべく前記撓曲可能な膜に第１の複数の離間別体エンボス部を形成するステップを含む。前記エンボス部はｘ方向には行がかつｙ方向には列が形成される。好適な方法において、前記行および列は非直線状である。
【００１４】
好適な方法においては、前記形成ステップにおいて、前記第１の複数の離間別体エンボス部は第１方向において前記平面に対して横方向に形成されると共に、前記第１方向とは逆の第２方向において前記平面の外方に伸びるべく前記膜には第２の複数の離間別体エンボス部が形成される。かかる方法において、前記エンボス部はｘ方向には行がかつｙ方向には列が形成される。好適には、前記行および列は非直線状であり、かつ、前記第１の複数のエンボス部の行および列は前記第２の複数のエンボス部の行および列により相互に離間される。
【００１５】
エンボス部を形成するツールは、交互配置の第１方向エンボス突出部および中立スペースから成る交互配置の第１行と第２方向エンボス突出部（該第２方向エンボス部は実際には凹部である）および中立スペースから成る中間の交互配置の第２行とを形成すべく当該ローラから伸びる複数のエンボス加工用突出部を有するローラを含む。前記第１方向エンボス突出部および中立スペースから成る交互配置の第１行は第１方向エンボス突出部および中立スペースから成る交互配置の第１列を形成すべく配設され、前記第２方向エンボス凹部および中立スペースから成る中間の交互配置の第２行は第２方向エンボス凹部および中立スペースから成る交互配置の第２列を形成すべく配設される。本発明のツールにおいて、前記第１方向エンボス突出部および中立スペースから成る第１行ならびに第２方向エンボス凹部および中立スペースから成る第２行は非直線状でありかつ相互に平行であると共に、前記第１方向エンボス突出部および中立スペースから成る第１列ならびに前記第２方向エンボス凹部および中立スペースから成る第２列は非直線状でありかつ相互に平行である。本発明のツールは、反転した輪郭を有する第２の反転ローラを有する。
【発明を実施するための最良の形態】
【００１６】
本発明のこれらのおよび他の特徴および利点は、各請求項と関連する以下の詳細な説明から容易に明らかとなるであろう。
【００１７】
当業者であれば、以下の詳細な説明および添付図面を一読すれば本発明の利益および利点は更に容易に明らかとなろう。
【００１８】
本発明は種々の形態における実施例が可能であるが、図面に示されると共に以下に記述されるのは現在において好適な実施例であり、本開示は発明の例示と見做されると共に、本発明を説明された特定実施例に限定することを意図するものでないことは理解される。
【００１９】
本明細書の本項の表題すなわち“発明の詳細な説明”は米国特許庁の要件に関するものであり、本明細書中に開示された主題を制限することを意味するものでなく又は制限すると推論されてはならないことを理解すべきである。
【００２０】
次に各図および図８を簡単に参照すると、エンボス加工された交差積層フィルム１０すなわち本発明の原理を具現する家屋包装体の一実施例が示される。家屋包装用フィルム１０は、図１１において建築物Ｂ上に位置して示される。家屋包装用材料１０は高レベルの耐湿性を有すると共に、以下に記述される如く、該材料と該材料が設置される構造物との接合面から離間させるべく水分を案内するのを許容する構造もしくは機能表面を有する。
【００２１】
家屋包装用材料１０は、たとえば下側に位置する家屋構造上に家屋羽目板が着座する箇所に形成される隆起部に沿う貯溜もしくは貯水を排除する排斥効果と、包装体１０の表面から湿気（たとえば水分）が排出されるのを許容する方向に依存しない溝１２（図８参照）との両方を提供する機能表面を有する。
【００２２】
包装材料１０は、好適には、結晶性ポリマから単軸配向されたフィルムの交差積層体である。かかる材料は、優れた引き裂き抵抗を含む多数の有用な特性を呈することが知られている。配向性もしくは“傾斜切断された”多層プラスチック・フィルムの一例は、本発明と同様に本出願人に譲渡されると共に言及により本明細書中に援用されるバーンズ等の特許文献１に開示されている。
【００２３】
好適な材料は、テキサス州、ヒューストンのＩＴＷ  ＶＡＬＥＲＯＮ（登録商標）社から市販されているＶＡＬＥＲＯＮ（登録商標）ブランドのフィルムである。図１６を参照すると（ウェブとも称される）フィルム１４は、当該フィルム層１６、１８の各々が収集されるローラに対して所定角度にて分子配向を獲得すべく連続的螺旋で押出し成形かつ傾斜切断された２つのフィルム層１６、１８の交差積層体から形成されたポリオレフィン、好適には高密度ポリエチレン（ＨＤＰＥ）である。傾斜切断されたフィルム１６、１８は次に、好適には該フィルム層１６、１８間の接着剤もしくはポリマ２０により交差積層されてウェブ１４を形成する。前記エンボス加工された家屋包装用フィルムにおいては、ポリエチレン・テレフタレート（ＰＥＴ）などの他の不織材料および同時押出し成型されたポリマ材料の使用が企図される。
【００２４】
図１６に見られる如く第１フィルム層１６の配向の方向は、層１６、１８の配向が非平行である如く所定角度αにて、第２フィルム層１８の配向の方向と交差している。すなわち、各フィルム層の配向は、０°を含まない０°〜１８０°の角度αで相互に交差する。図１６に見られる如く、層１６の配向は線２２にて表され、層１８の配向は線２４にて表される。角度αは、約４０°〜約１４０°の範囲、好適には約７８°〜約１０４°の範囲とされることができる。最も好適な配向角度は、フィルム１６、１８が相互に直交して配向される様に約９０°である。好適な積層ウェブ１４は、約０.０８ｍｍ（０.００３２インチもしくは３.２ミル）〜約０.１０ｍｍ（４.０ミル）の厚みを有する。ウェブ１４は勿論、所望の用途次第で他の厚さを有すべく形成されることができるが、これらのウェブ・ゲージもしくは厚みは従来の住宅建築に対して良好に機能することが確認されている。
【００２５】
交差積層に続き、ウェブ１４には機能表面が形成される。ウェブ１４をエンボス加工することにより本発明の表面が形成されることでフィルム１０が形成される。フィルム１０の平面Ｐ10に対し、ウェブ１４の各方向にはエンボス部が形成される。すなわち（図５および図８の図面の平面である）フィルム１０の平面Ｐ10に対し、エンボス部は紙面から手前に（説明目的で、これは正のエンボス部３０と称される）かつ紙面の向こう側へと（負のエンボス部３４）が形成される。ウェブ１４の表面を見ると前記エンボス部は正のエンボス部３０および負のエンボス部３４を形成するが、それらに対してはエンボス加工されない中立区域３２が在る。エンボス部３０、３４は、フィルム１０のｚ方向に形成される。当業者であれば、フィルム１０の一方の“側”で正のエンボス部３０として視認されるものは、フィルム１０の他の側では負のエンボス部３４として視認されることを理解し得よう。
【００２６】
エンボス部３０、３４は、フィルム１０のｘ方向（すなわち概略的に２６で示された行）およびｙ方向（すなわち概略的に２８で示された列）の両方において所定パターンで構成される。本発明のフィルム１０においては、行２６および列２８のいずれも直線状でない。むしろ図示された如く行２６および列２８は、以下で論じられる如く正弦波パターンで配設されて別体にエンボス加工３０、３４された要素から形成される。各行２６および各列２８は、交互配置の正のエンボス部３０および中立平面区域もしくは領域３２、または、負のエンボス部３４および中立平面領域３２から形成され、また、行２６（もしくは列２８）は各区域（すなわち各エンボス部３０、３４または各中立領域３２）が異なる区域に隣接する様に交互配置される。すなわち、各行２６および各列２８における区域の半分は中立領域３２であることから、行２６（および列２８）は、中立領域３２は共通縁部を共有しないが（それらの夫々の角隅部にて接触して）相互に交互配置される如く、相互に形成される。
【００２７】
たとえば図８を参照すると行ＲＡ（エンボス部ＲＡ１〜ＲＡ１０）の負のエンボス部は、中立スペースＲＡＳ１、ＲＡＳ２、ＲＡＳ３によりその行において隣接する負のエンボス部から離間される。以下同様。（すなわちＲＡ１はＲＡ２から離間され、ＲＡ２はＲＡ３から離間される。以下同様。）また、行ＲＡの負のエンボス部は、行ＲＣの負のエンボス部から中立平面領域ＣＡＳ１、ＣＣＳ１により離間される。以下同様。各列に対しては、同一パターンが追随する。すなわち、列ＣＡの負のエンボス部（エンボス部ＣＡ１〜ＣＡ１０）は、その列における隣接エンボス部から中立平面領域ＣＡＳ１、ＣＡＳ２、ＣＡＳ３により離間される。以下同様。（すなわちＣＡ１はＣＡ２から離間される。以下同様。）また列ＣＡの負のエンボス部は、列ＣＣの負のエンボス部から中立平面領域ＣＢＳ１、ＣＢＳ２により離間される。以下同様。示された如くフィルム１０は、少なくとも２本の行Ｒ（たとえばＲＡ、ＲＢ、ＲＣ）および少なくとも２本の列Ｃ（たとえばＣＡ、ＣＢ、ＣＣ）を有する。図面からは、本発明のフィルム１０が、“スペース”の約２５％が正のエンボス部であり、“スペース”の約２５％が負のエンボス部であり、“スペース”の約５０％が中立平面領域もしくはスペースであるチェッカー盤状の外観（市松模様）を有して形成されることが理解される。
【００２８】
行２６を形成するエンボス部３０、３４は列２８を形成するエンボス部３０、３４であることから、エンボス部３０、３４の各々は行表示および列表示を有し、この様にしてマトリクスを形成することも明らかである。
【００２９】
図５に見られる如く行２６および列２８は、湾曲パターンで又は湾曲経路を有して形成される。すなわち行２６および列２８は、直線状ラインを形成しない（直線状でない）。むしろ行２６および列２８は好適には、正弦波パターンを有して形成される。企図された包装体１０において正弦曲線は、約５１ｍｍ（２.０インチ）のピッチと、約６.３５ｍｍ（０.２５インチ）のピーク間振幅とを有する。エンボス部３０、３４は、約１.２７ｍｍ（０.０５インチ（５０ミル））の側部長さｌ30と、約０.９ｍｍ（０.０３５インチ（約３５ミル））の深さｄ30を有して形成される。エンボス部の“密度”は、（５１ｍｍ（２インチ）パターンに基づく）反復パターン毎に一辺当たりで約４０個のエンボス部３０、３４、または、２５.８平方センチ（４平方インチ）当たり約１６００個のエンボス部（または６.４５平方センチ（１平方インチ）当たり約４００個のエンボス部）である。企図されたフィルム１０においてエンボス部３０、３４は各々、平行四辺形の基部を有する切頭四角錐として形成される（図１０参照）。すなわちエンボス部３０、３４は、約１５°の角度αにて（中立平面Ｐ32から離間する）上方向において内方に傾斜する実質的に等しい長さの４個の側部ｌ30（必ずしも正方形ではなく平行四辺形であり、たとえば図３を参照）を有して形成される。
【００３０】
図１、図２および図７にはエンボス加工フィルム１０を形成するひとつのツール３６が示され、図７はエンボス加工ローラ３８の２つの区域を示している。ローラ３８により、図５のフィルム１０における中立スペース３２に対応する基準もしくは中立平面Ｐ32が形成される。その場合にローラ３８からは、中立平面Ｐ32から約０.９ｍｍ（３５ミル）の高さもしくは距離ｄ42で突出部４２が外方に伸びる。突出部４２は、中立平面Ｐ32に直交するラインに対して約１５°の角度βにて内方に傾斜する側部４４を備えた切頭四角錐形状を有して形成される。突出部４２の頂部４６は平坦であり、突出部４２間の（中立平面Ｐ32における）谷部４８は平坦である。理解される如く、“突出部”４２は負のエンボス部３４を形成する。
【００３１】
突出部４２に加えてローラ３８には、正のエンボス部３０を形成する凹所５０も形成される。凹所５０は突出部４２に関して鏡像関係で形成される。すなわち凹所５０は、（中立平面Ｐ32に対応する）平坦基部５２と、中立平面Ｐ32に直交するラインに対して約１５°の角度βで形成された側部５４とを有する。
【００３２】
フィルム１０自体が、その交差積層構造の故に増進された強度および引き裂き抵抗を呈する。当業者であれば、プラスチック層の配向は製造中に前記フィルムに対して付与される特性であることを認識し得よう。典型的には、ポリマが溶融されると共に押出し成形機の金型からバブル形態で押出し成形される。該フィルムは次に、たとえば環状の空気リングを用いて冷却される（吹き出しフィルム・プロセス）。冷却されたバブルは潰されて巻き取り用平面材が形成され、これは次に延伸される。それが、前記フィルムを“配向”させる押出しおよび延伸操作である。本質的に、前記押出しおよび延伸プロセスの結果として、長鎖ポリマ分子は配向もしくは方向付けされる。その様に作成されて配向された巻き取り用平面材は次に傾斜切断され、配向角度は機械方向に対して所望角度である単一層のフィルムが作成される。
【００３３】
図１２には、フィルム１０を作成する（全体として６０で示された）ひとつのプロセスが部分的かつ模式的に示される。前記プロセスの（押出し積層プロセスとして参照される）フィルム形成部分においては、はさみローラ６６の近傍にてプラスチック層１６、１８間に接合もしくは接着シール材料２０を塗布すべく位置された接合材料塗布器６４により、交差配向積層フィルム１６、１８に相互に塗布すべくステーション６２が用いられる。代替的にプラスチック層１６、１８は、接合もしくはシール層を使用せずに相互に直接的に配設されることができる。但し、企図されたフィルムにおいては、プラスチック層１６、１８の間に接合層２０が配設され、この接合層２０は低密度のポリエチレンなどの媒体から形成される。
【００３４】
このプロセスは撓曲可能で交差積層されたフィルムもしくは膜１４を形成し、これは次に第２（エンボス加工）ステーション６８へと搬送され、そこで膜１４はエンボス加工ローラ３８、４０のニップ７０内へと供給されてエンボス加工フィルム１０が形成される。フィルム１０は透過用の孔が明けられ、水蒸気の通過は許容するが液状水分の通過は許容しない。
【００３５】
前記材料に関し、押出し積層に対する代替策として接着積層が使用されることができることも企図される。かかるプロセスにおいては、（たとえばポリウレタンなどの）ポリマ接着系が使用されることが予見される。但し、他のポリマ接着系も企図される。必要なら、（接着剤から）溶媒などを除去すべく一定配列の乾燥炉が使用されることができる。
【００３６】
図１３から図１５には、代替的なエンボス加工パターン１１０が示される。この実施例１１０において行１２６および列１２８は、（エンボス部１３０、１３４の各対の）隣接する行または列が隣接する行１２６または列１２８に対して交互配置される様に離間される。
【００３７】
たとえば第２行１２６Ｂにおけるエンボス部は第４行１２６Ｄおよび第６行１２６Ｆにおけるエンボス部に対して列的に整列されるが、（相互に列的に整列された）第１行１２６Ａ、第３行１２６Ｃ、第５行１２６Ｅなどにおけるエンボス部に対しては交互配置される。同様に、第１列１２８Ａにおけるエンボス部は、第３列１２８Ｃなどにおけるエンボス部と行的に整列されるが、第２列１２８Ｂ、第４列１２８Ｄなどにおけるエンボス部からは交互配置される。
【００３８】
エンボス部１３０、１３４は、細長い中央区画１３８を備えて湾曲されもしくは丸形とされた上側および下側端部１３６を有する立体的で細長い楕円形として形成される。実質的にエンボス部１３０、１３４は、競技場の様な形状を有する。図１４に見られる如く、ウェブ１１０の平面に直交する方向（すなわち断面）において見たときにエンボス部１３０、１３４は、平坦化された頂部１４２および谷部１４４を備えた湾曲側壁１４０を有する。
【００３９】
本発明の家屋包装体１０、１１０は、公知の障壁材料において形成される連続溝形式と異なり、ウェブ１４において別体に離間された構成３０、３４、１３０、１３４により形成される。本発明の家屋包装用フィルム１０、１１０は、該フィルムが構造物Ｂ上に設置される方向に依存せずに機能する。最も望ましくは、かかる材料１０、１１０は高い引き裂き抵抗と高い全体的強度を有することで、全ての建設状況および全ての現場における使用が許容される。
【００４０】
特定のエンボス加工パターン、輪郭、形状および配向が記述されたが、本発明に依れば種々の他のパターン、輪郭、形状および配向が企図されると共に本発明の有効範囲内であることは理解される。
【００４１】
本明細書中で言及された全ての特許は、本開示の本文において言及が詳細に為されたか否かを問わず、言及したことにより本明細書中に援用される。
【００４２】
前記開示において、“ひとつの（ａ，ａｎ）”という単語は、単数および複数の両方を包含するものと解釈されるべきである。逆に、適切な場合、複数形の項目に対する一切の言及は単数を包含するものとする。
【００４３】
前記からは、本発明の新規な概念の精神および有効範囲から逸脱せずに多くの改変および変形が為されることができることが理解される。図示された特定実施例に関しては何らの限定も意図されずまたは推論されるべきでないことは理解される。本開示は、添付の各請求項の有効範囲内に収まる全てのかかる改変を該請求項により包含することを意図している。
【図面の簡単な説明】
【００４４】
【図１】本発明のエンボス加工された交差積層式の家屋包装用フィルムを形成する同様に本発明のひとつの形態を具現化したツール（一対のローラ）の斜視図である。
【図２】前記ツールのエンボス加工要素箇所の形成を模式的に示したものである。
【図３】前記ツールのエンボス加工要素の位置、パターンおよび構成を示す図である。
【図４】二重正弦波エンボス加工パターンが形成されたフィルムの一実施例を示す図である。
【図５】図４のフィルムの拡大図である。
【図６】図５のフィルムの拡大図である。
【図７】図５および図６に示されたフィルムを作成すべく使用されるエンボス加工ツールの断面図である。
【図８】フィルムシートの一部を示す図である。
【図９】図８の９−９線に沿う前記シートの断面図である。
【図１０】図８の１０−１０線に沿う前記シートの断面図である。
【図１１】前記エンボス加工された交差積層式の家屋包装用フィルムが設置された建築物の模式図である。
【図１２】前記家屋包装用フィルムを形成するプロセスの概略図である。
【図１３】フィルムに代替的なエンボス部を形成する代替的ツールの一部の拡大図である。
【図１４】前記代替的フィルムの断面図である。
【図１５】前記代替的フィルムの頂部もしくは底部表面の図である。
【図１６】本発明の前記フィルムにおいて使用される多層積層体の分解斜視図である。
【符号の説明】
【００４５】
α    所定角度
Ｂ    建築物
Ｃ    列
ＣＡ    列
ＣＡ１〜ＣＡ１０    エンボス部
ＣＡＳ１    中立平面領域／中立スペース
ＣＡＳ２、ＣＡＳ３    中立スペース
ＣＢＳ１、ＣＢＳ２    中立平面領域
ＣＣ    列
ＣＣＳ１    中立平面領域
ｄ30    深度
ｄ42    高さ／距離
ｌ30    側部長さ
Ｐ10    平面
Ｐ32    中立平面
Ｒ    行
ＲＡ    行
ＲＡ１〜ＲＡ１０    エンボス部
ＲＡＳ１、ＲＡＳ２、ＲＡＳ３    中立スペース
ＲＣ    行
１０    エンボス加工された交差積層フィルム／家屋包装体
１２    方向に依存しない溝
１４    フィルム／膜
１６    第１フィルム層／プラスチック層
１８    第２フィルム層／プラスチック層
２０    接着剤／接合材料
２２、２４    線
２６    行
２８    列
３０    正のエンボス部
３２    中立平面区域／中立スペース
３４    負のエンボス部
３６    ツール
３８、４０    エンボス加工ローラ
４２    突出部
４４    側部
４６    頂部
４８    谷部
５０    凹所
５２    平坦基部
５４    側部
６２    ステーション
６４    接合材料塗布器
６６    はさみローラ
６８    ステーション
７０    ニップ
１１０    代替的なエンボス加工パターン／家屋包装体
１２６    列
１２６Ａ    第１行
１２６Ｂ    第２行
１２６Ｃ    第３行
１２６Ｄ    第４行
１２６Ｅ    第５行
１２６Ｆ    第６行
１２８    列
１２８Ａ    第１列
１２８Ｂ    第２列
１２８Ｃ    第３列
１２８Ｄ    第４列
１３０    エンボス部
１３４    エンボス部
１３６    上側および下側端部
１３８    細長い中央区画
１４０    湾曲側壁
１４２    頂部
１４４    谷部
【図１】
2007518595.tif 000003
【図２】
2007518595.tif 000004
【図３】
2007518595.tif 000005
【図４】
2007518595.tif 000006
【図５】
2007518595.tif 000007
【図６】
2007518595.tif 000008
【図７】
2007518595.tif 000009
【図８】
2007518595.tif 000010
【図９】
2007518595.tif 000011
【図１０】
2007518595.tif 000012
【図１１】
2007518595.tif 000013
【図１２】
2007518595.tif 000014
【図１３】
2007518595.tif 000015
【図１４】
2007518595.tif 000016
【図１５】
2007518595.tif 000017
【図１６】
2007518595.tif 000018
【国際調査報告】
2007518595.tif 000019
2007518595.tif 000020
2007518595.tif 000021